(57)【要約】【課題】１本のワイヤーに接続された引手を用いて、窓の開閉操作、ロック操作及びロック解除操作を行うことができる窓用の開閉装置を提供する。【解決手段】窓用の開閉装置１０は、窓１の窓枠２に取り付けられた第１ロック部２０と、固定枠３に取り付けられた第２ロック部４０と、第１ロック部２０のハウジングケース２２に固定されたワイヤ２４Ａを含む引手２４とを主に備える。【選択図】  図１
2016020589.tif 000002
【特許請求の範囲】
【請求項１】
窓用の開閉装置であって、
前記窓が閉じている状態で第１方向の一方側に延在し、第１の方向と交差する第２の方向に傾動可能に構成されたロック片と、前記ロック片を前記第２の方向の一方側に付勢する第１付勢部材と、前記ロック片を前記第１方向の他方側に付勢する第２付勢部材とを有し、前記窓に固定される第１ロック部と、
一端が第１ロック部に固定されたワイヤ部材を含み、前記窓が閉じている状態で、前記ワイヤ部材を通じて前記第１ロック部を前記第１の方向の前記一方側に移動するように構成された引手部と
前記窓が閉じた状態で、前記ロック片が挿入される第２ロック部であって、
前記第１ロック部の前記ロック片が前記第１の方向の前記一方側に移動しようとすることを妨げる第１障壁部と、
前記第１の方向の前記一方側に移動しようとする前記ロック片を第１障壁部に向かってガイドする第１ガイド部と、
前記第１障壁部よりも前記第２方向の前記一方側であって、且つ前記第１方向の他方側に設けられて、前記第１ロック部のロック片が前記第１方向の前記他方側及び前記第２方向の前記一方側に移動しようとすることを妨げる第２障壁部と
前記第２障壁部よりも、前記第１方向の前記一方側であって、且つ、前記第２方向の前記一方側に設けられて、前記第１ロック部の前記ロック片が前記第１の方向の前記一方側に移動しようとすることを妨げる第３障壁部と、
前記ロック片を第３障壁部から第２ロック部の外側に向かってガイドする第２ガイド部とを有する第２ロック部と
を備える窓用の開閉装置。
【請求項２】
前記第１ガイド部は、前記第１の方向の前記一方側に移動しようとする前記ロック片を、前記第２方向の他方側に向かってガイドする傾斜面を有し、
前記第２ガイド部は、前記ロック片の、前記第１の方向の前記他方側への移動が、前記第１ガイド部の前記傾斜面によって妨げられないように構成されている、請求項１に記載の窓用の開閉装置。
【請求項３】
前記第１、第２ロック部は、前記第２障壁部に前記ロック片が当接しているときに、前記窓が閉じた状態でロックされるように構成されている請求項１又は２に記載の窓用の開閉装置。
【請求項４】
請求項１〜３のいずれか一項に記載の窓用の開閉装置を備える窓。
【発明の詳細な説明】
【技術分野】
【０００１】
本発明は、例えば排煙用窓のような、高所に取り付けられた外倒し窓又は内倒し窓に設けられる開閉装置と、そのような開閉装置を備える窓に関する。
【背景技術】
【０００２】
飲食店や工場等において、排煙等の目的のために、高所位置に外倒し窓又は内倒し窓が設けられることがある。これらの窓は、通常、ユーザーの手が届かないところに設けられているため、窓の開閉を容易に行うための工夫が施されてきた。例えば、特許文献１に記載の窓の開閉操作装置は、窓枠の一端に取り付けられたワイヤと、そのワイヤを巻取り及び繰り出し可能なドラムとを主に備えている。ドラムは回転規制可能であって、任意の回転位置において回転しないようにラッチすることができる。このようなドラムを電動又は手動で回転駆動させることにより、窓の開閉を行うことができる。
【０００３】
あるいは、より簡便な開閉装置として、開放用引手、復帰用引手及び窓のロック機構を備える開閉装置が知られている。それぞれの引手の先端にはワイヤが取り付けられており、開放用引手から延びるワイヤの端部はロック機構に取り付けられ、復帰用引手から延びるワイヤの端部は窓枠に取り付けられている。窓が閉じている状態では、窓はロック機構によりロックされている。開放用引手を引くと、ロック機構が解除され、窓は自重により外側（又は内側）に倒れて開放される。ここで、復帰用引手から延びるワイヤは窓枠に取り付けられているため、窓が外側（又は内側）に倒れて開放されるとき、それにつれて復帰用引手も移動する。なお、ロックを解除された窓が急激に外側（又は内側）に倒れることがないように、復帰用引手には錘（バランサー）が取り付けられている。また、窓を閉めるときには、復帰用引手を引いて窓を起こすように移動させて、ロック機構でロックする。窓を閉める際には、復帰用引手を引くことに代えて、専用のフック棒を用いることもできる。このフック棒の先端にはフックが取り付けられており、窓枠には、フックを引っかけるための係合部が設けられている。竿状部材の先端のフックを窓枠の係合部に引っかけて窓を引っ張ることによって窓を閉じることもできる。
【先行技術文献】
【特許文献】
【０００４】
【特許文献１】特許第５２９０６３５号公報
【発明の概要】
【発明が解決しようとする課題】
【０００５】
従来の、ドラムを電動又は手動で回転駆動させるタイプの窓開閉装置は、比較的高価であるとともに、構造が複雑で、取り付けの際に工事が必要となる。また、開放用引手及び復帰用引手の２つの引手が取り付けられる場合には、窓の開閉に際し、使用者がいずれの引手を引くべきか迷うことも考えられる。また、必然的に、窓から２本のワイヤが延びることになってしまう。そこで、１本のワイヤを用いて窓の開閉及びロック操作を行うことができる簡便な窓の開閉装置が望まれている。
【課題を解決するための手段】
【０００６】
本発明の態様に従えば、窓用の開閉装置であって、
前記窓が閉じている状態で第１方向の一方側に延在し、第１の方向と交差する第２の方向に傾動可能に構成されたロック片と、前記ロック片を前記第２の方向の一方側に付勢する第１付勢部材と、前記ロック片を前記第１方向の他方側に付勢する第２付勢部材とを有し、前記窓に固定される第１ロック部と、
一端が第１ロック部に固定されたワイヤ部材を含み、前記窓が閉じている状態で、前記ワイヤ部材を通じて前記第１ロック部を前記第１の方向の前記一方側に移動させるように構成された引手部と
前記窓が閉じた状態で、前記ロック片が挿入される第２ロック部であって、
前記第１ロック部の前記ロック片が前記第１の方向の前記一方側に移動しようとすることを妨げる第１障壁部と、
前記第１の方向の前記一方側に移動しようとする前記ロック片を第１障壁部に向かってガイドする第１ガイド部と、
前記第１障壁部よりも前記第２方向の前記一方側であって、且つ前記第１方向の他方側に設けられて、前記第１ロック部のロック片が前記第１方向の前記他方側及び前記第２方向の前記一方側に移動しようとすることを妨げる第２障壁部と
前記第２障壁部よりも、前記第１方向の前記一方側であって、且つ、前記第２方向の前記一方側に設けられて、前記第１ロック部の前記ロック片が前記第１の方向の前記一方側に移動しようとすることを妨げる第３障壁部と、
前記ロック片を第３障壁部から第２ロック部の外側に向かってガイドする第２ガイド部とを有する第２ロック部と
を備える窓用の開閉装置が提供される。
【０００７】
本発明の窓用の開閉装置では、窓が閉じている状態で、第１方向の一方側（例えば、前側）に向かって延在するロック片はバネなどの第１付勢部材により、第２方向の一方側（例えば上側）に付勢されている。引手部を引いてロック片を前側に向かって移動させると、ロック片は第１ガイド部にガイドされつつ、第１障壁部に当接して、これ以上前側には進めなくなる。この状態で引手部を緩めると、ロック片は第１、第２付勢部材により受ける付勢力により、上方後側に移動し、第２障壁部に当接する。そして、さらに引手部を引くと、ロック片は前方に移動しつつ、第１付勢部材により上方に移動するため、第２障壁部から第３障壁部に向かって移動する。ここで、引手部を緩めると、第２ガイド部によってガイドされつつ後側に移動して、ロック片は第２ロック部から外れて窓が開放される。
【０００８】
このように、１本のワイヤを備えた引手部を引く操作及び緩める操作を行うことにより、窓を開けたり閉じたりする操作を容易にできるとともに、窓を閉じた際に、窓をロックすることと、ロックを解除する動作も同じ引手部を用いて容易に行うことができる。
【発明の効果】
【０００９】
本発明の窓の開閉装置は、構造が簡単であり、電動部品などを要しないため、低コストでの製作が可能となる。そのため、例えば住宅の天窓などのコストの安い住宅などにも対応が可能である。
【図面の簡単な説明】
【００１０】
【図１】図１は本発明に係る窓の開閉装置１０の概略図である。
【図２】図２は第１ロック部２０の上面図である。
【図３】図３（ａ）は第２ロック部４０の上面図であり、図３（ｂ）は第２ロック部４０を斜め上から見たときの概略図である。
【図４】図４は、第２ロック部４０の内部をストライクローラ３３が移動する様子を示す概略図である。
【図５】図５は、変更形態に係る窓の開閉装置の第１ロック部の概略図である。
【図６】図６（ａ）は変更形態に係るストライクローラ５３の上面図であり、図６（ｂ）は変更形態に係る第２ロック部６０の概略図である。
【発明を実施するための形態】
【００１１】
本発明に係る窓の開閉装置１０について、図面を参照しつつ説明する。なお、以下の説明においては、図１の上側、下側をそれぞれ上、下とし、図１の左側、右側をそれぞれ後、前とし、図１の紙面に垂直な方向の手前側、奥側をそれぞれ左、右として方向を定義することとする。
【００１２】
図１に示されるように、建物の壁に取り付けられた窓１は、窓枠２と、一端が窓枠２に取り付けられ、他端が壁に取り付けられたダンパ部材３と、開閉装置１０とを備える。窓１はいわゆる外倒し窓であり、下端部分を軸にして建物の外側に傾動可能である。なお、窓を開ける際に、窓が必要以上に速く開かないようにし、且つ、必要以上に開きすぎないようにするために、ダンパ部材３が取り付けられている。ダンパ部材３は公知のものが用いられているため、ここでは説明を省略する。なお、図１においては、図を簡略化するため、後述の第１ロック部２０と第２ロック部４０とが離れているように図示されている。しかしながら、実際には窓１を閉じた状態では後述のストライクローラ３３が図１中の点線部分に位置するように、第１ロック部２０と第２ロック部４０とが近接して設けられている。
【００１３】
図１、２に示されるように、窓の開閉装置１０は、窓枠２に固定された第１ロック部２０と、壁から延びる固定枠４に取り付けられた第２ロック部４０とを備える。第１ロック部２０は、窓枠２に固定されたハウジングケース支持金具２１と、ハウジングケース支持金具２１により支持される略箱形状のハウジングケース２２と、ハウジングケース２２に取り付けられたストライク機構３０と、一端がハウジングケース２２の上部に固定されたワイヤ２４Ａを含む引手２４とを主に備える。
【００１４】
ハウジングケース支持金具２１は板状の基部２１Ａと、基部２１Ａの略中央部分から基部２１Ａに直交する方向に立設されたバネガイド部２１Ｂとを備える。バネガイド部２１Ｂの前側端部（つまり、基部２１Ａと反対側の端部）は、後述するコイルバネ２５が抜けないように、円盤状の形状になっている。ハウジングケース２２は、その上面及び前面が開放された、略箱状の部材である。ハウジングケース１２の後側の面（以下、底面２２Ａと呼ぶ）には貫通孔が形成されており、ハウジングケース支持金具２１のバネガイド部２１Ｂが当該貫通孔を貫くように設けられている。そのため、ハウジングケース２２は、ハウジングケース支持金具２１のバネガイド部２１Ｂの延在する方向（前後方向）に沿ってスライド移動可能に構成されている。そして、ハウジングケース２２の底面２２Ａとバネガイド部２１Ｂの前側端部との間には、コイルバネ２５が設けられている。コイルバネ２５は、ハウジングケース２２の底面２２Ａを後側に向かって付勢しているので、ハウジングケース２２に外力が働いていない状態では、ハウジングケース２２の底面２２Ａはハウジングケース支持金具２１の基部２１Ａに当接した状態になっている。
【００１５】
ストライク機構３０は、ハウジングケース２２の左側面及び右側面の間に配置されたピン３１と、ピン３１を軸にして揺動可能に設けられた棒状のストライク支持金具３２と、ストライク支持金具３２のピン３１と反対側の端部に設けられ、ピン３１と略平行に延びる丸棒状のストライクローラ３３と、ストライク支持金具３２とハウジングケース２２の下側面との間に設けられて、ストライク支持金具３２のストライクローラ３３側の端部を常時上向きに付勢する板バネ３４とを備える。
【００１６】
図１及び図３（ａ），（ｂ）に示されるように、第２ロック部４０は受ハウジングケース４１と、受ハウジングケース４１の内部に設けられたガイド機構４２とを備える。受ハウジングケース４１は、後側が開放された略箱状の部材であり、後述のように、ストライク機構３０が内部に挿入されるように構成されている。ガイド機構４２は、受ハウジングケース４１内部の上下方向における略中央部分に設けられた固定ガイド部４３と、固定ガイド部４３の後方端部４３Ａに揺動可能に設けられ、固定ガイド部４３の後方端部４３Ａから後方上側に向かって延在する第１可動ガイド部４４と、固定ガイド部４３の中央部４３Ｂに揺動可能に設けられ、固定ガイド部４３の中央部４３Ｂから前側斜め下に向かって延在する第２可動ガイド部４５と、第１可動ガイド部４４と固定ガイド部４３の間に設けられた第１板バネ４６と、第２可動ガイド部４５と固定ガイド部４３の間に設けられた第２板バネ４７とを備える。
【００１７】
なお、図１及び図３（ｂ）に示されているように、固定ガイド部４３は、受ハウジングケース４１内部の上下方向における略中央部分において、受ハウジングケース４１の後側から、前向きに延在する直線部分４３Ｌと直線部分４３Ｌの前側端部であって、第２可動ガイド部４５が設けられた中央部４３Ｂから円弧状に前方上向きに延在するストライク受け部４３Ｕとを備える。また、図３（ａ）に示されるように、固定ガイド部４３、第１可動ガイド部４４、第２可動ガイド部４５は上面視で左右方向中央に間隙が形成されている。言い換えると、固定ガイド部４３、第１可動ガイド部４４、第２可動ガイド部４５は、左右方向の中央部分を空けるように２分割されている。この中央部分に開いた空隙をストライク機構３０のストライク支持金具３２が通過しうるように構成されている。
【００１８】
また、第１可動ガイド部４４は、固定ガイド部４３の後方端部４３Ａにおいて、後側に向かって傾動可能に設けられており、前側に向かっては傾動しない。そして、第１可動ガイド部４４と固定ガイド部４３との間には、第１板バネ４６が設けられており、第１可動ガイド部４４が後側に向かって傾動した場合に、それを元の位置に戻すように付勢力を与えることができる。第２可動ガイド部４５は、固定ガイド部４３の中央部４３Ｂにおいて、前側に向かって傾動可能に設けられており、後側に向かっては傾動しない。そして、第２可動ガイド部４５と固定ガイド部４３との間には、第２板バネ４７が設けられており、第２可動ガイド部４５が前側に向かって傾動した場合に、それを元の位置に戻すように付勢力を与えることができる。
【００１９】
次に図１〜図４を参照しつつ、窓１の開閉操作について説明する。開いている窓１を閉じる場合には、引手２４を下側に引っ張る。ここで、ワイヤ２４Ａの一端はハウジングケース２２に取り付けられているため、ワイヤ２４Ａが引っ張られると、ハウジングケース２２がコイルバネ２５に抗して、バネガイド部２１Ｂの延在する方向に向かって移動する。さらにワイヤ２４Ａが引っ張られると、ハウジングケース支持金具２１を介して窓枠２が引っ張られるため、窓１が閉じる向きに移動する。それに伴って、窓枠２に固定された第１ロック部２０が第２ロック部４０に向かって移動する。
【００２０】
ストライク機構３０のストライク支持金具３２は、板バネ３４により上側に付勢されている。そのため、第１ロック部２０が第２ロック部４０に向かって近づくとき、図１に示されるように、ストライク支持金具３２及びその先端に設けられたストライクローラ３３は、斜め上側に傾いた状態となっている。さらに引手２４を引っ張ると、ストライクローラ３３は第２ロック部４０の第１可動ガイド部４４の後面に当接する。ここで、ストライクローラ３３が第１可動ガイド部４４の後面に当接したとしても、第１可動ガイド部は前側には傾動できないため、ストライクローラ３３は第１可動ガイド部４４の後面に沿って、前方斜め下向きに移動する。このとき、ストライクローラ３３は図４のＡ位置に移動することになる。
【００２１】
そのまま、引手２４を引き続けると、ストライクローラ３３は第２可動ガイド部４５の後面に当接する。ここで、第２可動ガイド部４５は前側には傾動しうるため、さらに引手２４を引くとストライクローラ３３は第２可動ガイド部４５を前方に傾動させつつ前方に向かって移動し、図４のＢ位置まで移動する。なお、ストライクローラ３３が図４のＢ位置まで移動した場合には、第２ガイド部４５は第２板バネ４７の付勢力により、図４の実線で示される元の位置に戻る。
【００２２】
なお、ストライクローラ３３が図４のＢ位置まで移動した場合、それ以上引手２４を引いたとしてもストライクローラ３３が受ハウジングケース４１の前方壁面に当接してこれ以上前方に移動することはできない。そのため、引手２４を操作している操作者は、引手２４をこれ以上引くことができないことを容易に知ることができる。ここで、引手２４を引くことをやめてワイヤ２４Ａを緩めると、コイルバネ２５の付勢力によりハウジングケース２２（及びハウジングケース２２に取り付けられているストライクローラ３３）が後方に移動しつつ、板バネ３４の付勢力により、ストライクローラ３３が上側に向かって傾動する。これにより、ストライクローラ３３は図４のＣ位置に移動してストライク受け部４３Ｕによって受け止められる。
【００２３】
引手２４を引くことをやめてワイヤ２４Ａを緩めたとしても、ストライクローラ３３は図４のＣ位置から移動しない。言い換えると、ストライクローラ３３が図４のＣ位置にあるときには、ストライクローラ３３がストライク受け部４３Ｕによって受け止められた状態で保持されているので、後述のようにさらに引手２４を引くなどして外力を加えない限り、そのままの状態が維持されることになる。つまり、窓１が閉じた状態で維持されることになる（ロック状態）。
【００２４】
次に、窓１を開ける際には、引手２４を引く。このとき、上述のようにハウジングケース２２がコイルバネ２５に抗して、前方に向かって移動するため、これに伴ってストライクローラ３３が前方に移動する。それと同時に、板バネ３４の付勢力により、ストライクローラ３３が上側に向かって傾動するため、ストライクローラ３３はストライク受け部４３Ｕから外れて、図４のＤ位置に移動する。つまり、窓１のロック状態が解除される。ここで、引手２４を引くことをやめてワイヤ２４Ａを緩めると、窓１は後方に倒れるように移動するため、それに伴ってストライクローラ３３は図４のＤ位置からＥ位置に向かって移動して第１可動ガイド部４４の前面に当接する。ここで、第１可動ガイド部４４は後方に向かって傾動するように構成されている。そのため、ストライクローラ３３は第１可動ガイド部４４を後方に傾動させつつ、第２ロック機構４０から外れてさらに後方に向かって移動して窓１が開放される。このとき、第１可動ガイド部４４は第１板バネ４６の付勢力により、図４の実線で示される元の位置に戻る。
【００２５】
このように、上記実施形態にかかる窓の開閉装置１０においては、第１ロック部２０と第２ロック部４０とを備えているので、１本のワイヤ２４Ａを含む引手２４を操作することにより、窓の開閉動作を行うことができる。さらに、窓１を閉じる操作を行うとき、操作者は、これ以上引手２４を引けない状態（ストライクローラ３３が図４のＢ位置にある状態）であることを容易に感じ取ることができる。そして、その状態で引手２４を緩めることによって、ストライクローラ３３を図４のＣ位置に移動させて窓を閉じた状態でロックすることができる。
【００２６】
このように、操作者は直感的な操作により、窓１を閉めることと窓１を閉めた状態でロックすることを同時に行うことができる。また、ロックした窓１を開放する場合も、操作者は引手２４を引っ張ったあと、これ以上引手２４を引けない状態（ストライクローラ３３が図４のＤ位置にある状態）になったら、引手２４を緩めることによって、ストライクローラ３３を図４のＥ位置からさらに後方に移動させて窓を開けることができる。このように、操作者は直感的な操作により、窓１を閉めた状態のロックを解除することと、窓１を開放することとを同時に行うことができる。
【００２７】
なお、本発明は上述の実施形態に限定されず、本発明の要旨を逸脱しない範囲で種々の構成を取り得る。以下に、その一例として以下の変更形態を示すが、本発明はこれらの構成に限定されるものではない。
【００２８】
上述の実施形態においては、ストライク支持金具３２の端部において、ストライクローラ３３が左右方向両側に延びるように設けられていたが、本発明はこのような構成には限られず、ストライクローラがストライク支持金具の先端から、左右方向の一方側にのみ延在するように構成されていてもよい。なお、以下の説明においては、上記実施形態と同じ構造については、同一の参照符号を付して、その説明を省略する。
【００２９】
図５に示されるように、ストライク機構５０は、ハウジングケース２２の左側面及び右側面の間に配置されたピン３１と、ピン３１を軸にして揺動可能に設けられた棒状のストライク支持金具３２と、ストライク支持金具３２のピン３１と反対側の端部に設けられ、ピン３１と略平行に、右側に向かって延びるストライクローラ５３と、ストライク支持金具３２とストライクローラ５３との間に設けられ、ストライクローラ５３を右側に向かって付勢するバネ５４とを備える。図６（ａ）に示すように、ストライクローラ５３は、ストライク支持金具３２の左面に設けられた円盤状のストップ板５３Ａと、円盤状のストップ板５３Ａの中央から右側に向かって延びる軸５３Ｂと、軸５３Ｂのストップ板５３Ａと反対側の端部に設けられた円柱形状のローラ部５３Ｃとを備える。なお、ストライク支持金具３２の前方端部には貫通孔が形成されており、その中を通るように軸５３Ｂが設けられている。ストライク支持金具３２の右側面とローラ部５３Ｃとの間には、バネ５４が設けられており、ローラ部５３Ｃを右側に向かって付勢している。なお、軸５３Ｂの左端部にはストップ板５３Ａが設けられており、ストップ板５３Ａの径はストライク支持金具３２に設けられた貫通孔の径よりも大きい。そのため、ローラ部５３Ｃは、ストップ板５３Ｃがストライク支持金具３２に当接した位置より、右側に移動することはできない。
【００３０】
次に、ストライク機構５０に合わせて構成された第２ロック部６０について、図６（ｂ）を参照しつつ説明する。図６（ｂ）に示される第２ロック部６０は、図３（ｂ）に示される第２ロック部４０とは、以下の３つの点において異なるが、それ以外は同じ構成を有している。相違点は、第１に、第２ロック部６０は、第１可動ガイド部４４及び第２可動ガイド部４５を有していない。第２に、、受ハウジングケース４１の上側には、ストライク機構５０のローラ部５３Ｃをガイドする第１ガイド面４１Ａが形成されている。第３に、第２ロック部６０は、図３（ｂ）に示される第２ロック部４０の第１可動ガイド部４４が設けられていた位置とほぼ同じ位置に形成された、第２ガイド面６１を備えている。なお、第２ロック部４０は図３（ａ）に示されるように、左右方向中央に空隙が形成されるように、固定ガイド部４３、第１可動ガイド部４４、第２可動ガイド部４５は、左右方向に２分割されていた。しかしながら、上述のようにストライク機構５０のストライクローラ５３は左右方向の一方（本変形例では右側）にのみ延在するので、これに合わせて、図６（ｂ）に示される第２ロック部６０は、右側にのみ形成されている。
【００３１】
次に、ストライク機構５０が第２ロック部６０に近接してきた場合について説明する。上述の説明と同様に、引手２４を引くことにより、ストライク機構５０のローラ部５３Ｃが後方から第２ロック部６０に近づいてくる。このとき、上述のように、ストライク機構５０のストライク支持金具３２は、板バネ３４により上側に付勢されており、ストライク支持金具３２及びその先端に設けられたローラ部５３Ｃは、斜め上側に傾いた状態となっているので、第２ロック部６０の第２ガイド面６１に当接する。さらに引手２４を引くと、ローラ部５３Ｃは第２ガイド面６１に沿って前方斜め下側に移動した後、前方に移動し、受ハウジングケース４１の前面下側に当接する。ここで引手２４を緩めるとローラ部５３は後方斜め上側に移動して、ストライク受け部４３Ｕによって受け止められる（ロック状態）。
【００３２】
次に、さらに引手２４を引くとロック状態が解除されて、ローラ部５３Ｃは受ハウジングケース４１の前面上側に当接する。ここで引手２４を緩めると、ローラ部５３Ｃは受ハウジングケース４１の第１ガイド面４１Ａに沿って左側に移動しつつ、窓１の自重により後方に向かって移動する。ここで、第１ガイド面４１Ａは、第２ガイド面６１を回避するように左側に向かう斜面を形成しているので、ローラ部５３Ｃが第１ガイド面４１Ａに沿って後方に移動することにより、ローラ部５３Ｃは第２ガイド面６１に遮られることなく後方に移動することができる。ローラ部５３Ｃが第１ガイド面４１Ａに沿って後方に移動する間、ローラ部５３Ｃは第１ガイド面４１Ａにより、バネ５３の付勢力に抗して左側に移動させられるが、第１ガイド面４１を通り過ぎた後は、バネ５３の付勢力により、ローラ部５３Ｃが右側に延びた状態に戻ることができる。
【００３３】
このように、ストライク機構５０と第２ロック部６０とを組み合わせた場合においても、上記実施形態と同様に、操作者は直感的な操作により、窓１を閉めることと窓１を閉めた状態でロックすることを同時に行うことができる。さらに、操作者は直感的な操作により、窓１を閉めた状態のロックを解除することと、窓１を開放することとを同時に行うことができる。なお、第２ロック部６０は、可動部分を有していないため、第２ロック部４０と比べて製作が容易となるとともに、メンテナンス作業を軽減することができる。
【００３４】
なお、上記実施形態及びその変更形態の説明においては、外倒し窓を例に挙げているが、本発明はこれに限られず、内倒し窓にも同様に適用することができる。
【００３５】
上記実施形態及びその変更形態において、ストライクローラ３３及びローラ部５３Ｃは円柱状のローラ部材であったが、これらは必ずしも回転可能に設けられていなくてもよい。
【００３６】
上記実施形態及びその変更形態において用いられる部材は、適宜、金属、樹脂などの材料を用いて作製することができ、本発明は特定の材料により作製されることに限定されない。
【符号の説明】
【００３７】
１      窓
１０    窓の開閉装置
２０    第１ロック部
４０，６０  第２ロック部
【図１】
2016020589.tif 000003
【図２】
2016020589.tif 000004
【図３】
2016020589.tif 000005
【図４】
2016020589.tif 000006
【図５】
2016020589.tif 000007
【図６】
2016020589.tif 000008